(57)【要約】【課題】  台板と着脱自在のクリップと支持具とから成る掲示板において、前記クリップの内の少なくとも１個は、卓上置き手段と壁掛け手段の両方を備えた支持具を着脱自在に取り付け可能にした、クリップを用いた掲示板を提供することにある。さらに、壁掛け使用時に、ひどい高温や振動にさらされても、クリップが外れないようにした、クリップを用いた掲示板を提供することにある。【解決手段】  台板１と、クリップ２、３と、支持具４とから成る掲示板において、クリップ２は支持具４を着脱自在に取り付けるための受部５を備え、支持具４は長い支脚片６と略直角に連なる短い取付片７とから成り、卓上置きと壁掛けの両用を可能にした、クリップを用いた掲示板にある。さらに、クリップの相互を連結する連結部材８と係合部９、１０を係合させて、クリップが台板１から外れないように構成した掲示板にある。【選択図】  図１
2006116033.tif 000002
【特許請求の範囲】
【請求項１】
台板と、前記台板に着脱自在のクリップと、支持具とから成る掲示板において、前記クリップの内の少なくとも１個は、前記支持具を着脱自在に取り付けるための受部を備え、前記支持具は、長い支脚片と、前記支脚片に略直角に連なる短い取付片とから成り、前記取付片は、前記受部に嵌合可能な第一取付部を備え、前記支脚片は、前記取付片の反対側に前記受部に嵌合可能な第二取付部を備え、さらに前記支脚片は、吊具に係合可能な掛止部を備え、前記第一取付部と前記第二取付部の何れか一方と前記受部を嵌合させ、前記支脚片が前記台板の裏面に略直角になる時は卓上置き手段とし、略平行になる時は壁掛け手段としたことを特徴とする、クリップを用いた掲示板。
【請求項２】
台板と、前記台板に着脱自在の複数のクリップとから成り、前記クリップの内の少なくとも１個は壁掛け手段を有する掲示板において、前記クリップの相互を連結する連結部材を備え、前記クリップは、前記連結部材に係合可能な係合部を備え、前記クリップが当接する範囲の前記台板の側面に対して直角方向に、前記クリップが引き寄せられるように前記クリップ及び前記連結部材を配置し、前記連結部材と前記係合部を係合させて、前記クリップが前記台板から外れないように構成したことを特徴とする、クリップを用いた掲示板。
【発明の詳細な説明】
【技術分野】
【０００１】
本発明は、写真、絵画、カレンダー、お知らせ等の掲示物を含むシート状物を台板に重ね、着脱自在のクリップで挟持した、クリップを用いた掲示板において、前記クリップの内の少なくとも１個に、卓上置き手段と壁掛け手段の少なくとも一方を備えた掲示板に関するものである。
【背景技術】
【０００２】
従来のこの種の掲示板のクリップは、シート状物及び台板の側面に当接する側板部と、側板部の上端に連なりシート状物の表面に当接する天板部と、側板部の下端から天板部と平行に連なる底板部と、底板部から延びて台板の裏面に当接し付勢する発条部とから成っている。底板部は、中央に壁掛け用の掛止孔を備えている。クリップは、シート状物及び台板の周縁に装着可能で、合成樹脂で射出成形されている。なお台板は、厚紙、合成樹脂板、木質繊維板、金属板等、軽量で一定の剛性を有する材料から成っている（例えば、特許文献１参照）。
【０００３】
【特許文献１】特開２００３−８０８７４号公報（段落００１３及び段落００１４、並びに図１及び図２）
【発明の開示】
【発明が解決しようとする課題】
【０００４】
従来のクリップに、台板の裏面に略直角方向に延びる形の、卓上置き手段を備えることは可能である。しかし、該クリップに卓上置き手段を一体化すると、掲示板を保管する際、嵩張ってしまう難点が生じる。
【０００５】
従来のクリップは、壁掛け手段を備えている。この該クリップを用いた掲示板は、シート状物と台板を、該クリップの弾性と摩擦による付勢力で支えている。シート状物や台板が重い場合には、重量を考慮した取扱いが必要となる。しかし、重量を考慮しても、ひどい高温や振動にさらされると、該クリップがシート状物や台板から外れてしまうという難点があった。
【０００６】
本発明の第１の目的は、台板と着脱自在のクリップと支持具とから成る掲示板において、前記クリップの内の少なくとも１個は、卓上置き手段と壁掛け手段の両方を備えた支持具を着脱自在に取り付け可能にした、クリップを用いた掲示板を提供することにある。
【０００７】
第２の目的は、台板と着脱自在のクリップとから成り、前記クリップの内の少なくとも１個は壁掛け手段を有する掲示板において、壁掛け使用時に、ひどい高温や振動にさらされても、クリップが外れないようにした、クリップを用いた掲示板を提供することにある。
【課題を解決するための手段】
【０００８】
上記目的を達成するために、第１の課題解決手段は、台板と、前記台板に着脱自在のクリップと、支持具とから成る掲示板において、前記クリップの内の少なくとも１個は、前記支持具を着脱自在に取り付けるための受部を備え、前記支持具は、長い支脚片と、前記支脚片に略直角に連なる短い取付片とから成り、前記取付片は、前記受部に嵌合可能な第一取付部を備え、前記支脚片は、前記取付片の反対側に前記受部に嵌合可能な第二取付部を備え、さらに前記支脚片は、吊具に係合可能な掛止部を備え、前記第一取付部と前記第二取付部の何れか一方と前記受部を嵌合させ、前記支脚片が前記台板の裏面に略直角になる時は卓上置き手段とし、略平行になる時は壁掛け手段とした、クリップを用いた掲示板の構成にある。
【０００９】
第２の課題解決手段は、台板と、前記台板に着脱自在の複数のクリップとから成り、前記クリップの内の少なくとも１個は壁掛け手段を有する掲示板において、前記クリップの相互を連結する連結部材を備え、前記クリップは、前記連結部材に係合可能な係合部を備え、前記クリップが当接する範囲の前記台板の側面に対して直角方向に、前記クリップが引き寄せられるように前記クリップ及び前記連結部材を配置し、前記連結部材と前記係合部を係合させて、前記クリップが前記台板から外れないように構成した掲示板にある。
【発明の効果】
【００１０】
本発明に関わるクリップを用いた掲示板では、支持具に卓上置き手段と壁掛け手段を備えたので、卓上置きと壁掛けの両用が出来て便利だという効果がある。また、支持具をクリップに着脱自在としたので、掲示板を保管する際、嵩張らないという効果がある。
【００１１】
さらに壁掛け使用時、クリップを台板に装着した状態で相互を連結部材で連結したので、クリップが外れなくなるという効果がある。
【発明を実施するための最良の形態】
【００１２】
本発明の実施の形態１を、図１〜図８に基づいて説明する。図１は実施の形態１の、掲示板の背面斜視図であり、（Ａ）は卓上置き、（Ｂ）は壁掛けの使用状態を示している。掲示板は、矩形の台板１と、受け付きクリップ２と、受け無しクリップ３と、支持具４とから成っている。受け付きクリップ２は、支持具４を着脱自在に取り付けるための受部５を備えている。受け付きクリップ２は、卓上置きの場合は、台板１の下辺に装着され、壁掛けの場合は、台板１の上辺に装着されている。支持具４は、長い支脚片６と、短い取付片７とから成っている。支持具４は、受部５に嵌合させて取り付けられる。この際、支脚片６が台板１の裏面に略直角になる時は、卓上置き手段と成り、支脚片６が台板１の裏面に略平行になる時は、壁掛け手段と成る。卓上置きは、卓上等に傾斜して起立できるように成っている。壁掛けは、壁面等に取り付けられた吊具Ａに係合して、吊り下げられるように成っている。
【００１３】
受け付きクリップ２及び受け無しクリップ３は、連結部材８に係合可能な係合部９、１０を備えている。壁掛け使用の場合、掲示板は受け付きクリップ２の付勢力で支えられている。前記付勢力は、通常の室内環境で使用されることを前提に設計されている。しかし、ひどい高温や振動にさらされると、前記付勢力では支えきれなくなって、クリップ２が外れる恐れがある。この危険が予測される場合は、受け付きクリップ２と受け無しクリップ３の相互を、連結部材８で連結している。実施の形態１の連結部材８は、輪ゴムから成っている。受け付きクリップ２は、当接する範囲の台板１の側面に対して直角方向に引き寄せられている。受け無しクリップ３も、同様に引き寄せられている。こうして、受け付きクリップ２が台板１から外れるのを防いでいる。
【００１４】
図２は、掲示板の卓上置き使用状態の断面図である。台板１にシート状物Ｂを重ね、その周縁を受け付きクリップ２と、受け無しクリップ３で挟持している。台板１は、厚紙、合成樹脂板、木質繊維板、金属板等、軽量で一定の剛性を有する材料から成っている。受け付きクリップ２、受け無しクリップ３、支持具４は、合成樹脂で射出成形されている。また、シート状物Ｂは通常、掲示物と、掲示物を保護する透明板とから成っているが、透明板は省略されることもある。
【００１５】
図３は受け付きクリップ２の斜視図、図４は図２のａ〜ａ線断面図である。受け付きクリップ２は、シート状物Ｂの側面に当接する側板部１１と、側板部１１の上端に連なりシート状物Ｂの表面に当接する天板部１２と、側板部１１の下端から天板部と平行に連なる底板部１３と、底板部１３から延びて台板１の裏面に当接し付勢する２個の発条部１４とから成り、底板部１３の略中央に受部５を備えている。
【００１６】
受部５は、底板部１３から立ち上がる断面Ｌ字形状の溝壁１５と、溝壁１５に連なり弾力性を有する可撓片１６と、可撓片１６の先端に受側突起１７を、それぞれ左右対称に揃えて成っている。結果、底板部１３と溝壁１５とから、支持具４を受け入れる２つの間隙部１８が作られている。また、溝壁１５の側板部よりには、係合突起１９が設けられ、結果、底板部１３と溝壁１５と係合突起１９とから係合部９が作られている。
【００１７】
図５は、支持具４の斜視図である。支持具４は、長い支脚片６と、支脚片６に略直角に連なる短い取付片７とから成っている。取付片７は、受部５に嵌合可能な第一取付部２０を備えている。第一取付部２０には、受側突起１７に係合可能な第一取付側突起２１が並設されている。支脚片６は、取付片７の反対側に受部５に嵌合可能な第二取付部２２を備えている。第二取付部２２には、受側突起１７に係合可能な第二取付側突起２３が並設されている。さらに支脚片６の板面には、吊具Ａに係合可能な掛止部２４が穿設されている。掛止部２４は、係合が安定するように、円形の孔に加えて小さな半円状の切欠き２５を備えている。
【００１８】
受部５について補足する。溝壁１５は、第一取付部２０及び第二取付部２２に嵌合可能な形及び位置に形成されている。
【００１９】
図６は、受け無しクリップ３の斜視図である。受け無しクリップ３は、受け付きクリップ２と異なり、受部５を有していない。底板部２６の略中央に断面Ｌ字形状の係合突起２７が立設されている。結果、底板部２６と係合突起２７とから係合部１０が作られている。その他は、受け付きクリップ２に同じである。
【００２０】
図７は、掲示板の壁掛け使用状態の背面図であり、図８は、図７のｂ〜ｂ線断面図である。ここで、クリップの装着について説明する。受け付きクリップ２と受け無しクリップ３の当てる位置を考える。卓上置き使用と壁掛け使用の何れにするか、使用方向を縦と横の何れにするかを選択する。その選択と掲示物の内容によって、受部５を有する受け付きクリップ２を、どの辺に当てれば良いかが決まる。受け付きクリップ２は、辺の中央に当てることが望ましい。受け無しクリップ３は、受け付きクリップ２に対称の位置に当てる。
【００２１】
次に、受け付きクリップ２と、支持具４の取り付けについて説明する。卓上置き使用の場合は、支持具４の第一取付部２０を間隙部１８に挿入する。この際支持具４は、支脚片６が台板１から離れる向きとする。挿入を進めると、第一取付側突起２１と受側突起１７が当接する。そのまま押圧すると弾性を有する可撓片１６が撓み、第一取付側突起２１は受側突起１７を乗り越える。乗り越えた所で、第一取付部２０は溝壁１５の奥に当たり、受部５と第一取付部２０は嵌合する。また壁掛け使用の場合は、支持具４の第二取付部２２を間隙部１８に挿入する。この際支持具４は、取付片７の端が台板１に近付く向きとする。挿入を進めると、第二取付側突起２３と受側突起１７が当接し、乗り越え、溝壁１５の奥に当たり、受部５と第二取付部２２は嵌合する。このように、支持具４の取り付けは簡単で、取り外しも引き抜くだけで、着脱自在である。また、可撓片１６及び受側突起１７と、第一取付側突起２１ないし第二取付側突起２３の係合は、嵌合をより確かなものにしている。
【００２２】
続いて、掲示板の使用について説明する。卓上置き使用の場合は、受け付きクリップ２を下にして、掲示板を傾斜させて卓上面Ｃに載置すると、図２に示すような、卓上置きになる。また、受け付きクリップ２を上にして、掲示板を緩く傾斜させて置くことも出来る。壁掛け使用の場合は、図８に示すように、壁面Ｄに取り付けられた吊具Ａに対して、掛け時計を吊るす要領で、吊具Ａを掛止部２４の穴に通し、切欠き２５に係合させて吊り下げる。壁面Ｄから吊具Ａの先端までの高さが、台板１の裏面と壁面Ｄとの離隔寸法以下である時は、受け付きクリップ２及び受け無しクリップ３が壁面Ｄに当接するので、掲示板を壁面Ｄと平行に吊るすことが出来る。また吊具Ａは、掲示板の裏に隠れるので、美観上優れている。
【００２３】
支持具４について補足する。支脚片６は、第二取付部２２の付近でわずかに折れ曲がっている。こうすることで、台板１の裏面と壁面Ｄとの離隔寸法内に、支持具４が納まるように成っている。
【００２４】
上述のように、実施の形態１の掲示板は、支持具４が卓上置き手段と壁掛け手段の両方を備えているので、卓上置きと壁掛けの両用が出来て便利である。また、支持具４を受け付きクリップ２に着脱自在としているので、掲示板を保管する際は、嵩張らなくすることが出来る。
【００２５】
実施の形態２について説明する。図９は、クリップ５０の斜視図である。クリップ５０は、側板部５１と、天板部５２と、底板部５３と、２個の発条部５４と、底板部５３の中央端から外側に延びる断面Ｌ字形状の支持部５５とから成っている。支持部５５の端には、への字形状の切欠き５６が備えられている。切欠き５６の反対側には、係合突起５７が備えられている。底板部５３と支持部５５と係合突起５７とから、係合部５８が作られている。
【００２６】
図１０は、クリップ５０を用いた掲示板の、応用例Ｅである。図１１は、図１０のｃ〜ｃ線断面図であり、壁掛け使用の状態を示している。応用例Ｅは、矩形の台板５９を横向きにし、上辺と下辺の各２箇所、上下対称にクリップ５０を当てている。そして、左右二列の上下のクリップ５０の相互を、連結部材６０で連結している。連結部材６０は、テグス糸から成る糸部６１と、糸部６１の一方の端に取り付けられた受け金具６２と、他方の端に取り付けられた引掛け金具６３とから成っている。連結は、係合部５８に糸部６１を引っ掛けて周回させ、受け金具６２と引掛け金具６３とを係合させて、結んでいる。糸部６１の長さは、連結が完了した時、緩まず、ほんの少しだけ係合部５８に力が掛かる程度と成っている。
【００２７】
図１２は、クリップ５０を用いた掲示板の、応用例Ｆ、Ｇ、Ｈである。応用例Ｆは、矩形の台板６４を縦向きにし、四辺の各中央に１箇所づつ、クリップ５０を当てている。そして、連結部材６５を菱形状に周回させて、４個のクリップ５０を連結している。
【００２８】
応用例Ｇは、隅切り処理をした正三角形の台板６６に、三辺の各中央に１箇所づつ、クリップ５０を当てている。そして、連結部材６７を三角形状に周回させて、３個のクリップ５０を連結している。
【００２９】
応用例Ｈは、矩形の台板６８を横向きにし、上辺と下辺の各２箇所と、左辺と右辺の各１箇所にクリップ５０を当てている。そして、連結部材６９を２個の菱形を横に並べた形状に周回させて、６個のクリップ５０を連結している。
【００３０】
各応用例の掲示板は、上辺に当てられたクリップ５０の切欠き５６と、吊具Ａを係合させて、壁面Ｄに吊るされる。応用例Ｅ、Ｈの場合は、２個の吊具Ａで吊るされている。クリップ５０及び連結部材６０、６５、６７、６９は、クリップ５０が当接する範囲の台板５９、６４、６６、６８の側面に対して直角方向に引き寄せられるように、配置されている。配置が正確であれば、クリップは台板の側面方向に動くことはないが、不正確だと均衡を求めてクリップは移動し、連結部材は緩んでしまう。連結部材は、紐や鋼線等であっても良く、少し弾力性がある材料が使いやすい。なお、台板は、実施の形態１と同様、一定の剛性を有する材料から成っている。
【００３１】
上述のように、実施の形態２の掲示板は、クリップ５０を台板５９、６４、６６、６８に装着した状態で、相互を連結部材６０、６５、６７、６９で連結したので、クリップ５０が外れなく成っている。
【００３２】
以上、実施の形態について詳細に説明したが、これまで使用した用語は、説明を目的としたものであって、その用語に限定するものではない。また、特許請求の範囲に反することなく、形状、配置等について、種々の変更を可能とするものである。例えば、実施の形態１の受け付きクリップ２においては、受部５を底板部１３に備えたが、受部５を側板部１１に備えても良い。この場合は、卓上置き手段と壁掛け手段が逆になる。
【図面の簡単な説明】
【００３３】
【図１】実施の形態１の、掲示板の背面斜視図であり、（Ａ）は卓上置き、（Ｂ）は壁掛けの使用状態を示す。
【図２】実施の形態１の、掲示板の卓上置き使用状態の断面図である。
【図３】実施の形態１の、受け付きクリップの斜視図である。
【図４】図２のａ〜ａ線断面図である。
【図５】実施の形態１の、支持具の斜視図である。
【図６】実施の形態１の、受け無しクリップの斜視図である。
【図７】実施の形態１の、掲示板の壁掛け使用状態の背面図である。
【図８】図７のｂ〜ｂ線断面図である。
【図９】実施の形態２の、クリップの斜視図である。
【図１０】実施の形態２の、掲示板の応用例Ｅである。
【図１１】図１０のｃ〜ｃ線断面図である。
【図１２】実施の形態２の、掲示板の、（Ｆ）は応用例Ｆ、（Ｇ）は応用例Ｇ、（Ｈ）は応用例Ｈである。
【符号の説明】
【００３４】
１、５９、６４、６６、６８  台板
２  受け付きクリップ
３  受け無しクリップ
４  支持具
５  受部
６  支脚片
７  取付片
８、６０、６５、６７、６９  連結部材
９、１０、５８  係合部
２０  第一取付部
２２  第二取付部  
２４  掛止部
５０  クリップ
Ａ    吊具
Ｂ    シート状物
【図１】
2006116033.tif 000003
【図２】
2006116033.tif 000004
【図３】
2006116033.tif 000005
【図４】
2006116033.tif 000006
【図５】
2006116033.tif 000007
【図６】
2006116033.tif 000008
【図７】
2006116033.tif 000009
【図８】
2006116033.tif 000010
【図９】
2006116033.tif 000011
【図１０】
2006116033.tif 000012
【図１１】
2006116033.tif 000013
【図１２】
2006116033.tif 000014